【手続補正書】
【提出日】平成16年1月20日(2004.1.20)
【手続補正１】
【補正対象書類名】明細書
【補正対象項目名】発明の名称
【補正方法】変更
【補正の内容】
【発明の名称】論理回路


【手続補正２】
【補正対象書類名】明細書
【補正対象項目名】特許請求の範囲
【補正方法】変更
【補正の内容】
【特許請求の範囲】
【請求項１】
ＰチャネルＭＯＳトランジスタ又はＮチャネルＭＯＳトランジスタを含む複数のＭＯＳトランジスタで構成され、複数の入力信号に基づいて所定論理の出力信号を出力する論理回路であって、
前記複数の入力信号の内の一つの入力信号が前記複数のＭＯＳトランジスタの内の一つのＭＯＳトランジスタのソース又はドレインに入力され、
前記複数の入力信号の内の他の入力信号が前記複数のＭＯＳトランジスタのゲートに入力され、
前記一つの入力信号と、一つの電源とのいずれかのレベルを出力信号として出力する論理回路であり、
前記出力信号を高電位側電源電圧と低電位側電源電圧との範囲でフル振幅動作させる出力信号安定化回路を備えることを特徴とする論理回路。
【請求項２】
ＰチャネルＭＯＳトランジスタ又はＮチャネルＭＯＳトランジスタを含む複数のＭＯＳトランジスタで構成され、ｎ個の入力信号（ｎは２以上の整数）に基づいて所定論理の出力信号を出力する論理回路であって、
前記複数の入力信号の内の一つの入力信号が前記複数のＭＯＳトランジスタの内の一つのＭＯＳトランジスタのソース又はドレインに入力され、
前記複数の入力信号の内の他の入力信号が前記複数のＭＯＳトランジスタのゲートに入力され、
２ｎ−２個のトランジスタで所望論理の出力信号を出力する論理回路であり、
前記出力信号を高電位側電源電圧と低電位側電源電圧との範囲でフル振幅動作させる出力信号安定化回路を備えることを特徴とする論理回路。
【請求項３】
ＰチャネルＭＯＳトランジスタ又はＮチャネルＭＯＳトランジスタを含む複数のＭＯＳトランジスタで構成され、複数の入力信号に基づいて所定論理の出力信号を出力する論理回路であって、
前記複数の入力信号の内の一つの入力信号が前記複数のＭＯＳトランジスタの内の一つのＭＯＳトランジスタのソース又はドレインに入力され、
前記複数の入力信号の内の他の入力信号が前記複数のＭＯＳトランジスタのゲートに入力され、  
高電位側電源及び低電位側電源が供給されるインバータ回路を使用することなく所望論理の出力信号を出力する論理回路であり、
前記出力信号を高電位側電源電圧と低電位側電源電圧との範囲でフル振幅動作させる出力信号安定化回路を備えることを特徴とする論理回路。
【請求項４】
前記論理回路は、所望論理の反転信号を出力する論理回路とし、
前記出力信号安定化回路は、
前記反転信号を反転させて出力するインバータ回路と、
前記インバータ回路の出力信号に基づいて前記反転信号を電源電圧レベルとするＭＯＳトランジスタと
を備えることを特徴とする請求項１、請求項２又は請求項３記載の論理回路。
【手続補正３】
【補正対象書類名】明細書
【補正対象項目名】０００１
【補正方法】変更
【補正の内容】
【０００１】
【発明の属する技術分野】
この発明は、論理回路に関するものである。
マイコンあるいはＡＳＩＣ等の半導体装置には、多数の論理回路が使用されている。近年の半導体装置の高集積化及び低消費電力化にともない、このような論理回路の素子数の削減及び低消費電力化がますます必要となっている。


【手続補正４】
【補正対象書類名】明細書
【補正対象項目名】０１５６
【補正方法】変更
【補正の内容】
【０１５６】
従って、このような論理回路を多数使用する半導体集積回路装置の消費電力が増大するという問題点がある。
この発明の目的は、素子数を削減して回路面積を縮小し得る論理回路を提供することにある。また、論理回路を構成するインバータ回路の数を削減して、消費電力を低減し得るＣＭＯＳ論理回路を提供することにある。


【手続補正５】
【補正対象書類名】明細書
【補正対象項目名】０１５７
【補正方法】変更
【補正の内容】
【０１５７】
【課題を解決するための手段】
請求項１では、ＰチャネルＭＯＳトランジスタ又はＮチャネルＭＯＳトランジスタを含む複数のＭＯＳトランジスタで論理回路が構成され、複数の入力信号に基づいて所定論理の出力信号が出力される。複数の入力信号の内の一つの入力信号が前記複数のＭＯＳトランジスタのソース又はドレインに入力され、前記複数の入力信号の内の他の入力信号が前記複数のＭＯＳトランジスタのゲートに入力されて、前記一つの入力信号と一つの電源とのいずれかのレベルを出力信号として出力する。前記出力信号を高電位側電源と低電位側電源との範囲でフル振幅で動作させる出力信号安定化回路が備えられる。
【手続補正６】
【補正対象書類名】明細書
【補正対象項目名】０１５８
【補正方法】変更
【補正の内容】
【０１５８】
請求項２では、ＰチャネルＭＯＳトランジスタ又はＮチャネルＭＯＳトランジスタを含む複数のＭＯＳトランジスタで論理回路が構成され、ｎ個（ｎは２以上の整数）の入力信号に基づいて所定論理の出力信号が出力される。複数の入力信号の内の一つの入力信号が前記複数のＭＯＳトランジスタのソース又はドレインに入力され、前記複数の入力信号の内の他の入力信号が前記複数のＭＯＳトランジスタのゲートに入力されて、２ｎ−２個のトランジスタで所望論理の出力信号を出力する。前記出力信号を高電位側電源と低電位側電源との範囲でフル振幅で動作させる出力信号安定化回路が備えられる。
【手続補正７】
【補正対象書類名】明細書
【補正対象項目名】０１５９
【補正方法】変更
【補正の内容】
【０１５９】
請求項３では、ＰチャネルＭＯＳトランジスタ又はＮチャネルＭＯＳトランジスタを含む複数のＭＯＳトランジスタで論理回路が構成され、複数の入力信号に基づいて所定論理の出力信号が出力される。複数の入力信号の内の一つの入力信号が前記複数のＭＯＳトランジスタのソース又はドレインに入力され、前記複数の入力信号の内の他の入力信号が前記複数のＭＯＳトランジスタのゲートに入力されて、高電位側電源及び低電位側電源が供給されるインバータ回路を使用することなく所望論理の出力信号を出力する。
【手続補正８】
【補正対象書類名】明細書
【補正対象項目名】０１６０
【補正方法】変更
【補正の内容】
【０１６０】
請求項４では、前記論理回路を、所望論理の反転信号を出力する論理回路とし、前記出力信号安定化回路は、前記反転信号を反転させて出力するインバータ回路と、前記インバータ回路の出力信号に基づいて前記反転信号を電源電圧レベルとするＭＯＳトランジスタとを備える。
【手続補正９】
【補正対象書類名】明細書
【補正対象項目名】０１６１
【補正方法】変更
【補正の内容】
【０１６１】
（作用）
請求項１では、一つの入力信号と、一つの電源とのいずれかのレベルが、他の入力信号に基づく所望論理の出力信号として出力され、その出力信号が出力信号安定化回路によりフル振幅で出力される。
【手続補正１０】
【補正対象書類名】明細書
【補正対象項目名】０１６２
【補正方法】変更
【補正の内容】
【０１６２】
請求項２では、入力信号の数をｎとしたとき、２ｎ−２個のトランジスタで、前記一つの入力信号と、一つの電源とのいずれかのレベルが、前記入力信号に基づく所望論理の出力信号として出力され、その出力信号が出力信号安定化回路によりフル振幅で出力される。
【手続補正１１】
【補正対象書類名】明細書
【補正対象項目名】０１６３
【補正方法】変更
【補正の内容】
【０１６３】
請求項３では、インバータ回路を使用することなく、前記一つの入力信号と、一つの電源とのいずれかのレベルが、前記入力信号に基づく所望論理の出力信号として出力され、その出力信号が出力信号安定化回路によりフル振幅で出力される。
【手続補正１２】
【補正対象書類名】明細書
【補正対象項目名】０１６４
【補正方法】変更
【補正の内容】
【０１６４】
請求項４では、前記論理回路から所望論理の反転信号が出力され、その反転信号が前記出力信号安定化回路により反転され、かつ電源電圧レベルとされる。
【手続補正１３】
【補正対象書類名】明細書
【補正対象項目名】０３４５
【補正方法】変更
【補正の内容】
【０３４５】
【発明の効果】
以上詳述したように、この発明は素子数を削減して回路面積を縮小し得る論理回路を提供することができる。また、論理回路を構成するインバータ回路の数を削減して、消費電力を低減し得る論理回路を提供することができる。